(57)【要約】  多集積回路の表示駆動方法、集積回路の表示駆動方法、表示駆動集積回路、多集積回路駆動ディスプレイスクリーン及び表示装置を提供する。該多集積回路の表示駆動方法において、多集積回路は、第１集積回路（３）及び第２集積回路（４）を備え、該表示駆動方法は、第１集積回路（３）により駆動される現在の境界画素データを第２集積回路（４）に送信するステップと、前記第２集積回路（４）において前記現在の境界画素データと前記第２集積回路（４）に記憶された現在のサブ画素データとに対してサブ画素のレンダリング計算を行うステップとを含む。該多集積回路の表示駆動方法は、現在の境界画素データに基づいて少なくとも第２集積回路の先頭列／行の画素データの欠損値を補充し、該第２集積回路が被駆動領域に出力する出力データを補正し、それにより２つの隣接する被駆動領域の境界での暗線の発生を防止する。【選択図】図１
2020536263.tif 000002
【特許請求の範囲】
【請求項１】
第１集積回路及び第２集積回路を含む多集積回路の表示駆動方法であって、
前記第１集積回路により駆動される現在の境界画素データを前記第２集積回路に送信するステップと、
前記第２集積回路において前記現在の境界画素データと前記第２集積回路に記憶された現在のサブ画素データに対してサブ画素レンダリング計算を行うことで、前記現在のサブ画素データを補正するステップとを含む
多集積回路の表示駆動方法。
【請求項２】
前記現在の境界画素データは、ディスプレイスクリーンにおいて２つの隣接する被駆動領域の境界部に位置し且つ前記第１集積回路により駆動される現在の画素データである
請求項１に記載の多集積回路の表示駆動方法。
【請求項３】
前記第２集積回路において前記現在の境界画素データと前記第２集積回路に記憶された現在のサブ画素データに対してサブ画素レンダリング計算を行うステップは、
各前記被駆動領域を横方向に並べて設置し、前記現在の境界画素データを隣接する被駆動領域の境界部の縦方向画素とし、横方向色貸しにより前記現在の境界画素データと現在のサブ画素データとに対してサブ画素レンダリング計算を行い、又は、
各前記被駆動領域を縦方向に並べて設置し、前記現在の境界画素データを隣接する被駆動領域の境界部の横方向画素とし、縦方向色貸しにより前記現在の境界画素データと現在のサブ画素データとに対してサブ画素レンダリング計算を行うステップを含む
請求項２に記載の多集積回路の表示駆動方法。
【請求項４】
前記現在の境界画素データは、電圧信号である
請求項１−３のいずれか１項に記載の多集積回路の表示駆動方法。
【請求項５】
前記第１集積回路により境界画素のグレースケール情報を読み取り、前記グレースケール情報に対してガンマ演算を行って、前記電圧信号を取得するステップと、
前記第２集積回路により前記電圧信号に対して逆ガンマ演算を行い、前記グレースケール情報を取得し、且つ前記第２集積回路により前記グレースケール情報と前記第２集積回路に記憶された現在のサブ画素データとに対してサブ画素レンダリング計算を行うステップとをさらに含む
請求項４に記載の多集積回路の表示駆動方法。
【請求項６】
前記第２集積回路により駆動される現在の境界画素データを前記第１集積回路に送信するステップと、
前記第１集積回路において前記第２集積回路により駆動される現在の境界画素データと前記第１集積回路に記憶された現在のサブ画素データとに対してサブ画素レンダリング計算を行うステップとをさらに含む
請求項１に記載の多集積回路の表示駆動方法。
【請求項７】
集積回路の表示駆動方法であって、
別の集積回路における現在の境界画素データを受信するステップと、
前記現在の境界画素データに基づいて、前記集積回路に記憶された現在のサブ画素データに対してサブ画素レンダリング計算を行い、補償後の画素データを取得するステップと、
前記補償後の画素データを前記集積回路に接続された被駆動領域に伝送することによって、前記被駆動領域を駆動して表示させるステップとを含む
集積回路の表示駆動方法。
【請求項８】
表示駆動集積回路であって、
表示データを受信するように配置される第１入力端子と、
別の集積回路における現在の境界画素データを受信するように配置される第２入力端子と、
前記現在の境界画素データに基づいて、前記表示駆動集積回路が受信した前記表示データにおける現在のサブ画素データに対してサブ画素レンダリング計算を行い、補償後の画素データを取得するように配置される処理回路と、
前記補償後の画素データを表示に用いるように配置される出力回路とを備える
表示駆動集積回路。
【請求項９】
多集積回路駆動ディスプレイスクリーンであって、
少なくとも連続的に設置されている第１被駆動領域及び第２被駆動領域と、
それぞれ前記第１被駆動領域と前記第２被駆動領域を駆動するための第１集積回路及び第２集積回路とを備え、
２つの隣接する前記被駆動領域において、前記第１集積回路は、記憶した現在の境界画素データを前記第２集積回路に送信するように配置され、前記第２集積回路は、前記現在の境界画素データと前記第２集積回路に記憶された現在のサブ画素データに対してサブ画素レンダリング計算を行うように配置される
多集積回路駆動ディスプレイスクリーン。
【請求項１０】
前記現在の境界画素データは、ディスプレイスクリーンにおいて前記２つの隣接する被駆動領域の境界部に位置し且つ前記第１集積回路により駆動される現在の画素データである
請求項９に記載の多集積回路駆動ディスプレイスクリーン。
【請求項１１】
各前記被駆動領域を横方向に並べて設置し、前記現在の境界画素データを隣接する被駆動領域の境界部の縦方向画素とし、横方向色貸しにより前記現在の境界画素データと現在のサブ画素データとに対してサブ画素レンダリング計算を行い、又は、
各前記被駆動領域を縦方向に並べて設置し、前記現在の境界画素データを隣接する被駆動領域の境界部の横方向画素とし、縦方向色貸しにより前記現在の境界画素データと現在のサブ画素データとに対してサブ画素レンダリング計算を行う
請求項１０に記載の多集積回路駆動ディスプレイスクリーン。
【請求項１２】
前記現在の境界画素データは、電圧信号である
請求項９−１１のいずれか１項に記載の多集積回路駆動ディスプレイスクリーン。
【請求項１３】
前記第１集積回路はさらに、境界画素のグレースケール情報を読み取り、前記グレースケール情報に対してガンマ演算を行って、前記電圧信号を取得するように配置され、
前記第２集積回路はさらに、前記電圧信号に対して逆ガンマ演算を行い、前記グレースケール情報を取得し、且つ前記グレースケール情報と前記第２集積回路に記憶された現在のサブ画素データとに対してサブ画素レンダリング計算を行うように配置される
請求項１２に記載の多集積回路駆動ディスプレイスクリーン。
【請求項１４】
請求項９−１３のいずれか１項に記載の多集積回路駆動ディスプレイスクリーンを備える
表示装置。
【発明の詳細な説明】
【技術分野】
【０００１】
本願は、２０１７年９月３０日に提出した中国特許出願第２０１７１０９１４８９４．９号の優先権を主張し、引用により上記中国特許出願において開示されている全内容を本願の一部としてここに組み入れる。
本開示の実施例は、多集積回路の表示駆動方法、集積回路の表示駆動方法、表示駆動集積回路、多集積回路駆動ディスプレイスクリーン及び表示装置に関する。
【背景技術】
【０００２】
近年、有機発光ダイオード（Ｏｒｇａｎｉｃ  Ｌｉｇｈｔ−Ｅｍｉｔｔｉｎｇ  Ｄｉｏｄｅ、ＯＬＥＤ）ディスプレイスクリーンは、広色域、高速応答、低消費電力などの利点を有するため、注目されており、携帯電話、タブレット、テレビなどの分野において利用されてきた。
【発明の概要】
【０００３】
本開示の少なくとも一実施例は、多集積回路の表示駆動方法を提供し、前記多集積回路は、第１集積回路及び第２集積回路を備え、前記表示駆動方法は、前記第１集積回路により駆動される現在の境界画素データを前記第２集積回路に送信するステップと、前記第２集積回路において前記現在の境界画素データと前記第２集積回路に記憶された現在のサブ画素データに対してサブ画素レンダリング計算を行うことで、前記現在のサブ画素データを補正するステップとを含む。
【０００４】
たとえば、本開示の一実施例による多集積回路の表示駆動方法において、前記現在の境界画素データは、ディスプレイスクリーンにおいて２つの隣接する被駆動領域の境界部に位置し且つ前記第１集積回路により駆動される現在の画素データである。
【０００５】
たとえば、本開示の一実施例による多集積回路の表示駆動方法において、前記第２集積回路において前記現在の境界画素データと前記第２集積回路に記憶された現在のサブ画素データに対してサブ画素レンダリング計算を行うステップは、各前記被駆動領域を横方向に並べて設置し、前記現在の境界画素データを隣接する被駆動領域の境界部の縦方向画素とし、横方向色貸しにより前記現在の境界画素データと現在のサブ画素データとに対してサブ画素レンダリング計算を行い、又は、各前記被駆動領域を縦方向に並べて設置し、前記現在の境界画素データを隣接する被駆動領域の境界部の横方向画素とし、縦方向色貸しにより前記現在の境界画素データと現在のサブ画素データとに対してサブ画素レンダリング計算を行うステップを含む。
【０００６】
たとえば、本開示の一実施例による多集積回路の表示駆動方法において、前記現在の境界画素データは、電圧信号である。
【０００７】
たとえば、本開示の一実施例による多集積回路の表示駆動方法は、前記第１集積回路で境界画素のグレースケール情報を読み取り、前記グレースケール情報に対してガンマ演算を行って、前記電圧信号を取得するステップと、前記第２集積回路で前記電圧信号に対して逆ガンマ演算を行い、前記グレースケール情報を取得し、且つ前記第２集積回路で前記グレースケール情報と前記第２集積回路に記憶された現在のサブ画素データとに対してサブ画素レンダリング計算を行うステップとをさらに含む。
【０００８】
たとえば、本開示の一実施例による多集積回路の表示駆動方法は、前記第２集積回路により駆動される現在の境界画素データを前記第１集積回路に送信するステップと、前記第１集積回路において前記第２集積回路により駆動される現在の境界画素データと前記第１集積回路に記憶された現在のサブ画素データとに対してサブ画素レンダリング計算を行うステップとをさらに含む。
【０００９】
本開示の少なくとも一実施例はさらに、集積回路の表示駆動方法を提供し、別の集積回路における現在の境界画素データを受信するステップと、前記現在の境界画素データに基づいて、前記集積回路に記憶された現在のサブ画素データに対してサブ画素レンダリング計算を行い、補償後の画素データを取得するステップと、前記補償後の画素データを前記集積回路に接続された被駆動領域に伝送することによって、前記被駆動領域を駆動して表示させるステップとを含む。
【００１０】
本開示の少なくとも一実施例はさらに、表示駆動集積回路を提供し、表示データを受信するように配置されている第１入力端子と、別の集積回路における現在の境界画素データを受信するように配置されている第２入力端子と、前記現在の境界画素データに基づいて、前記表示駆動集積回路が受信した前記表示データにおける現在のサブ画素データに対してサブ画素レンダリング計算を行い、補償後の画素データを取得するように配置されている処理回路と、前記補償後の画素データを表示に用いるように配置されている出力回路とを備える。
【００１１】
本開示の少なくとも一実施例はさらに、多集積回路駆動ディスプレイスクリーンを提供し、少なくとも連続的に設置されている第１被駆動領域及び第２被駆動領域と、それぞれ前記第１被駆動領域と前記第２被駆動領域を駆動する第１集積回路及び第２集積回路とを備える。２つの隣接する前記被駆動領域において、前記第１集積回路は、記憶した現在の境界画素データを前記第２集積回路に送信するように配置されており、前記第２集積回路は、前記現在の境界画素データと前記第２集積回路に記憶された現在のサブ画素データに対してサブ画素レンダリング計算を行うように配置されている。
【００１２】
たとえば、本開示の一実施例による多集積回路駆動ディスプレイスクリーンにおいて、前記現在の境界画素データは、ディスプレイスクリーンにおいて２つの隣接する被駆動領域の境界部に位置し且つ前記第１集積回路により駆動される現在の画素データである。
【００１３】
たとえば、本開示の一実施例による多集積回路駆動ディスプレイスクリーンにおいて、各前記被駆動領域を横方向に並べて設置し、前記現在の境界画素データを隣接する被駆動領域の境界部の縦方向画素とし、横方向色貸しにより前記現在の境界画素データと現在のサブ画素データとに対してサブ画素レンダリング計算を行い、又は、各前記被駆動領域を縦方向に並べて設置し、前記現在の境界画素データを隣接する被駆動領域の境界部の横方向画素とし、縦方向色貸しにより前記現在の境界画素データと現在のサブ画素データとに対してサブ画素レンダリング計算を行う。
【００１４】
たとえば、本開示の一実施例による多集積回路駆動ディスプレイスクリーンにおいて、前記現在の境界画素データは、電圧信号である。
【００１５】
たとえば、本開示の一実施例による多集積回路駆動ディスプレイスクリーンにおいて、前記第１集積回路はさらに、境界画素のグレースケール情報を読み取り、前記グレースケール情報に対してガンマ演算を行って前記電圧信号を取得するように配置されており、前記第２集積回路はさらに、前記電圧信号に対して逆ガンマ演算を行い、前記グレースケール情報を取得し、且つ前記グレースケール情報と前記第２集積回路に記憶された現在のサブ画素データとに対してサブ画素レンダリング計算を行うように配置されている。
【００１６】
本開示の少なくとも一実施例はさらに、本開示のいずれかの実施例による多集積回路駆動ディスプレイスクリーンを備える表示装置を提供する。
【図面の簡単な説明】
【００１７】
本開示の実施例による技術案をより明瞭に説明するために、以下、実施例の図面を簡単に説明するが、勿論、以下の説明における図面は、本開示の一部の実施例に過ぎず、本開示を限定するものではない。
【００１８】
【図１】本開示の一実施例による多集積回路の表示駆動方法のフローチャートである。
【図２】本開示の一実施例による多集積回路駆動ディスプレイスクリーンの模式図である。
【図３】本開示の一実施例による表示駆動集積回路の模式図である。
【発明を実施するための形態】
【００１９】
本開示の実施例の目的、技術案及び利点をより明瞭にするために、以下、本開示の実施例の図面を参照して、本開示の実施例の技術案を明瞭かつ完全に説明する。勿論、説明する実施例は、本開示の実施例の一部に過ぎず、すべての実施例ではない。説明する本開示の実施例に基づいて、当業者が創造的な努力を必要とせずに想到しうるすべてのほかの実施例は、本開示の保護範囲に属する。
【００２０】
特に断らない限り、本開示に使用されている技術用語又は科学用語は、当業者が理解しうる一般的な意味である。本開示に使用されている「第１」、「第２」及び類似した用語は、いかなる順番、数量又は重要性を示すものでもなく、異なる構成要素を区別するためのものに過ぎない。同様に、「１つ」、「一」又は「該」などの類似した用語も、数量の制限を示すものではなく、少なくとも１つが存在することを意味する。「含む」又は「備える」などの類似した用語は、該用語の前に記載の素子又は物品が該単語の後に挙げられている素子又は物品及びその同等物を含み、ほかの素子又は物品を排除しないことを意図する。「接続」又は「接続されている」などの類似した用語は、物理的又は機械的接続に限定されず、直接か間接かを問わず、電気的接続を含む。「上」、「下」、「左」、「右」などは、相対位置関係を示すものに過ぎず、説明対象の絶対位置が変わると、この相対位置関係もその分変化する。
【００２１】
以下、図面を参照して本開示に係る各実施例を詳細に説明する。なお、図面において、ほぼ同一又は類似した構造及び機能を有する構成要素は、同じ符号を付与され、且つこれらについての重複説明を省略する。
【００２２】
従来、中小型ＯＬＥＤディスプレイスクリーンでは、画像表示品質を向上させるために、サブ画素レンダリング（Ｓｕｂ−ｐｉｘｅｌ  ｒｅｎｄｅｒｉｎｇ、ＳＰＲ）技術を用いることが一般的である。たとえば、ＳＰＲ技術は、色貸し原理を利用して高解像度表示を実現し、画像の表示品質を向上させることができる。しかしながら、多集積回路（Ｉｎｔｅｇｒａｔｅｄ  Ｃｉｒｃｕｉｔ、ＩＣ）スプライススクリーンの場合、それぞれのＩＣは、ディスプレイスクリーンにおける１つの被駆動領域を独立して駆動し、直後のＩＣがＳＰＲ計算を行うときに、直前のＩＣにより駆動される被駆動領域に表示されたピクチャーの末端の画素データを取得できず、その結果、直後のＩＣの先頭列のＲ／Ｂサブ画素には前列のサブ画素のデータが記録できなくなり、直後のＩＣにより駆動される被駆動領域が表示するときに、データ無効化が発生し、すなわち、隣接するＩＣ駆動領域のエッジには色貸し失敗が発生し、赤色及び青色のサブ画素がエッジにおいて暗線を発生させ、それにより表示不良の問題を招く。
【００２３】
本開示の少なくとも一実施例による多集積回路の表示駆動方法では、該多集積回路は、第１集積回路及び第２集積回路を備える。該駆動方法は、第１集積回路により駆動される現在の境界画素データを第２集積回路に送信するステップと、第２集積回路において現在の境界画素データと第２集積回路に記憶された現在のサブ画素データとに対してサブ画素レンダリング計算を行うことで、現在のサブ画素データを補正するステップとを含む。
【００２４】
本開示の少なくとも一実施例はさらに、第１集積回路の表示駆動方法、表示駆動集積回路、多集積回路駆動ディスプレイスクリーン及び表示装置を提供する。
【００２５】
本開示の上記実施例による多集積回路の表示駆動方法は、第１集積回路により駆動される現在の境界画素データを第２集積回路に送信し、且つ第２集積回路がサブ画素レンダリング計算を行うときに、現在の境界画素データを利用して、第２集積回路がそれにより駆動される被駆動領域に伝送する先頭列／行の画素データの欠損値を少なくとも補充し、それにより該第２集積回路が被駆動領域に出力する画素データを補正し、それにより２つの隣接する被駆動領域の境界での暗線の発生を防止する一方、該駆動方法の実現方式は、シンプルで直接的であり、且つ集積回路の駆動アルゴリズムの再開発を必要としないため、アプリケーションプロセッサＡＰ側の画像分割アルゴリズムの複雑度を低減させられる。
【００２６】
以下、図面及び実施例にて本開示の実施例をさらに詳細に説明する。なお、ここで説明する具体的な実施例は、関連発明を説明するためのものに過ぎず、本開示の実施例を限定するものではない。また、なお、説明の便宜上、図面には、本開示の実施例に関連する部分だけが示されている。
【００２７】
なお、矛盾しない限り、本開示の実施例及び実施例における特徴を互いに組み合わせることができる。以下、図面を参照しながら本開示の実施例を詳細に説明する。
【００２８】
本開示の実施例の一例は、多集積回路の表示駆動方法を提供し、該駆動方法は、たとえば、ＯＬＥＤディスプレイパネル、液晶ディスプレイパネルなどに用いられる。たとえば、該多集積回路は、第１集積回路及び第２集積回路を備え、ただし、本開示の実施例は、それに制限されず、ディスプレイパネルに画素データを伝送するためのより多くの集積回路を含んでもよく、それによりディスプレイパネルが表示駆動される。
【００２９】
図１に示されるように、本開示の実施例による多集積回路の表示駆動方法は、ステップＳ１００とステップＳ２００を含む。
【００３０】
ステップＳ１００：第１集積回路により駆動される現在の境界画素データを第２集積回路に送信する。
【００３１】
ディスプレイスクリーンの解像度を向上させるために、ディスプレイスクリーン全体を駆動するのに１つのＩＣが不十分であり、このような場合、同一のディスプレイスクリーンを共同で駆動する複数のＩＣが必要である。具体的には、同一のディスプレイスクリーンを駆動するために使用されるＩＣの数は、ディスプレイスクリーンの大きさ、解像度などに応じて決まる。複数のＩＣで同一のディスプレイスクリーンを駆動するとき、ディスプレイスクリーンは、複数の被駆動領域に分けられることになり、たとえば、各々の被駆動領域は、１つのＩＣにより駆動される。たとえば、該複数の被駆動領域は、ディスプレイスクリーンにおいて並列して連続的に配列されている。図２に示されるように、該被駆動領域は、横方向に並べて設置されてもよく、隣接する２つの被駆動領域のうち、左側に位置するのが第１被駆動領域２であり、右側に位置するのが第２被駆動領域１であり、たとえば、第１被駆動領域２を駆動するＩＣは、第１ＩＣ３とし、第２被駆動領域１を駆動するＩＣは、第２ＩＣ４とする。
【００３２】
なお、図２に示される配列態様を含むが、これらに制限されず、被駆動領域は、縦方向に並べて設置されてもよい。たとえば、隣接する２つの被駆動領域のうち、上方に位置するのが第１被駆動領域であり、下方に位置するのが第２被駆動領域であり、第１被駆動領域を駆動するＩＣは、第１ＩＣとし、第２被駆動領域を駆動するＩＣは、第２ＩＣとする。
【００３３】
ディスプレイスクリーンが表示するとき、システムは、表示対象の内容をＩＣの数に応じて分割する。たとえば、ディスプレイスクリーンが２つのＩＣにより駆動され、且つディスプレイスクリーンには１枚のピクチャーが表示される場合、システムは、ピクチャーを２つの部分に分け、ＩＣごとに１つの部分を送信し、対応したＩＣは、受信した部分に基づいて、ディスプレイスクリーンの対応した被駆動領域を駆動して表示させる。
【００３４】
ディスプレイスクリーンを駆動するとき、第１ＩＣ３は、それにより駆動される現在の境界画素データを読み取り、現在の境界画素データを第２ＩＣ４に送信する。
【００３５】
ステップＳ２００：第２集積回路において現在の境界画素データと第２集積回路に記憶された現在のサブ画素データとに対してサブ画素レンダリング計算を行うことで、現在のサブ画素データを補正する。
【００３６】
たとえば、該現在のサブ画素データは、第２ＩＣ４のメモリに記憶され、必要に応じて、第２ＩＣ４は、該メモリから読み取ってもよい。
【００３７】
たとえば、第２ＩＣ４は、現在の境界画素データを受信すると、現在の境界画素データを第２ＩＣ４が先頭列／行のＳＰＲ計算を行う色貸しサブ画素値とし、第２ＩＣ４によるＳＰＲ計算に供する。
【００３８】
たとえば、ここでのＳＰＲ計算過程は、以下を含むが、それに制限されない。第１ＩＣ３は、現在の境界画素データ（すなわち第１ＩＣ３により駆動されるピクチャーの境界部分に対応した生データ）を第２ＩＣ４に送信し、第２ＩＣ４は、該現在の境界画素データを読み取り、現在の境界画素データを第２ＩＣ４の記憶ユニットに記憶し、且つ第２ＩＣ４の計算ユニットは、記憶ユニットから現在の境界画素データを読み取り第２ＩＣ４の先頭列／行の画素と一緒に、隣接する画素の同色サブ画素数値の混合計算を行い、混合計算をするときに同色Ｒ／Ｂ（Ｒｅｄ／Ｂｌｕｅ、赤色／青色）サブ画素数値だけに対して混合計算を行い、Ｇ（Ｇｒｅｅｎ、緑色）サブ画素数値に対して処理しない。なお、以下の実施例は、この場合と同じであるので、重複説明を省略する。
【００３９】
従って、上記技術案によれば、第１ＩＣ３により駆動される現在の境界画素データを第２ＩＣ４に送信し、且つ第２ＩＣ４がＳＰＲ演算を行うときに、現在の境界画素データは、少なくとも第２ＩＣ４の先頭列／行の画素データの欠損値を補充することで、該第２ＩＣ４の出力データを補正し、それにより２つの隣接する被駆動領域の境界での暗線の発生を防止する。上記技術案は、暗線を解消できるとともに、実現方式がシンプルで直接的であるなどの利点を有し、ＩＣ駆動アルゴリズムの再開発を必要としないため、ＡＰ側の画像分割アルゴリズムの複雑度を低減させられる。
【００４０】
たとえば、本実施例では、現在の境界画素データは、ディスプレイスクリーンにおいて２つの隣接する被駆動領域の境界部に位置し且つ第１ＩＣ３により駆動される現在の画素データである。実際に使用するとき、現在の画素データは、少なくとも第１被駆動領域と第２被駆動領域の隣接箇所での一列又は一行の画素データである。
【００４１】
たとえば、第２集積回路において現在の境界画素データと第２集積回路に記憶された現在のサブ画素データに対してサブ画素レンダリング計算を行うステップはさらに、各被駆動領域を横方向に並べて設置し、現在の境界画素データを隣接する被駆動領域の境界部の縦方向画素とし、横方向色貸しにより現在の境界画素データと現在のサブ画素データに対してＳＰＲ計算を行い、又は、各被駆動領域を縦方向に並べて設置し、現在の境界画素データを隣接する被駆動領域の境界部の横方向画素とし、縦方向色貸しにより境界画素データと現在のサブ画素データに対してＳＰＲ計算を行うステップを含む。たとえば、該横方向色貸しとは、横方向（すなわち左から右へ伝送又は右から左へ伝送）に境界画素データを伝送することを意味し、縦方向色貸しとは、縦方向（上から下へ伝送又は下から上へ伝送）に境界画素データを伝送すること意味する。
【００４２】
たとえば、現在の境界画素データは、電圧信号である。たとえば、該第１集積回路による処理過程は、第１ＩＣ３が先ず境界画素のグレースケール情報を読み取り、該グレースケール情報に対してガンマ（ｇａｍｍａ）演算などの処理を行い、該グレースケール情報に対応した電圧信号を取得する（すなわち現在の境界画素のグレースケール情報を対応した電圧信号に変換する）ことを含む。たとえば、該第２集積回路による処理過程は、第２ＩＣ４がＩ／Ｏ（Ｉｎｐｕｔ／Ｏｕｔｐｕｔ、入力／出力ポート）インタフェースを介して、第１ＩＣ３により伝送してきた電圧信号（すなわち現在の画素データ）を受信し、該電圧信号に対してガンマ補正（Ｄｅ−ｇａｍｍａ）演算を行い、該電圧信号に対応したグレースケール情報を取得し、且つ第２ＩＣ４が該グレースケール情報と該第２ＩＣ４に記憶された現在のサブ画素データとに対してＳＰＲ計算を行い、それにより補正されたサブ画素データを得ることを含む。たとえば、該第２ＩＣ４は、該補正されたサブ画素データに対してガンマ演算を行うことで、それを電圧信号に変換して、第２被駆動領域の駆動用として該電圧信号を第２被駆動領域に伝送することをさらに含み、それにより暗線が表示されるような問題を解消する。
【００４３】
なお、少なくとも一実施例では、該多集積回路の表示駆動方法は、上記駆動方法における境界画素データの逆方向伝送操作をさらに含んでもよく、すなわち、第２集積回路により駆動される現在の境界画素データを第１集積回路に送信するステップと、第１集積回路において第２集積回路により駆動される現在の境界画素データと第１集積回路に記憶された現在のサブ画素データとに対してサブ画素レンダリング計算を行うステップとを含む。該第２集積回路の現在の境界画素データを第１集積回路に伝送する作動原理は、第１集積回路の現在の境界画素データを第２集積回路に伝送する作動原理に類似するので、ここで重複説明を省略する。
【００４４】
なお、本開示の実施例では、該多集積回路の表示駆動方法のプロセスは、含まれる操作を増減することができ、これらの操作は、順に実行し又は並行して実行する。以上説明した駆動方法のプロセスは、特定の順番に応じて発生する複数の操作を含むが、複数の操作の順番が制限されないとは言うまでもない。以上説明した駆動方法は、一回実行してもよく、所定条件において複数回実行してもよい。
【００４５】
本開示の少なくとも一実施例は、別の集積回路（たとえば第２集積回路）における現在の境界画素データを受信するステップと、現在の境界画素データに基づいて第１集積回路に記憶された現在のサブ画素データに対してサブ画素レンダリング計算を行い、補償後の画素データを取得するステップと、前記補償後の画素データを第１集積回路に接続された被駆動領域に伝送して、被駆動領域を駆動して表示させるステップとを含む集積回路の駆動方法をさらに提供する。たとえば、該第１集積回路により駆動される被駆動領域は、第２集積回路により駆動される被駆動領域に連続して設置される。
【００４６】
たとえば、該現在の境界画素データは、電圧信号であり、且つ現在の境界画素データが得られた後に、それに対して逆ガンマ演算を行い、電圧信号をグレースケール情報に変換することによって、前記現在の境界画素データに対してサブ画素レンダリング計算を行ってもよい。画素レンダリングを行った後、ガンマ演算を行い、ガンマ演算の結果を第２被駆動領域に出力して表示してもよい。
【００４７】
なお、該実施例における集積回路の表示駆動方法は、多集積回路の表示駆動方法に類似するので、ここで重複説明を省略する。
【００４８】
図２に示されるように、本開示の実施例はさらに、多集積回路駆動ディスプレイスクリーンを提供する。たとえば、該多集積回路駆動ディスプレイスクリーン５は、少なくとも連続的に設置されている第１被駆動領域２及び第２被駆動領域１と、それぞれ第１被駆動領域２及び第２被駆動領域１を駆動する第１ＩＣ３及び第２ＩＣ４とを備える。たとえば、第１被駆動領域２は、第１ＩＣ３に接続され、第２被駆動領域１は、第２ＩＣ４に接続される。たとえば、２つの隣接する被駆動領域（たとえば第１被駆動領域２及び第２被駆動領域１）のうち、第１ＩＣ３は、それに記憶された現在の境界画素データを第２ＩＣ４に送信し、第２ＩＣ４は、現在の境界画素データと第２ＩＣ４に記憶された現在のサブ画素データに対してＳＰＲ計算を行う。
【００４９】
図２に示されるように、同一のディスプレイスクリーン５は、複数の被駆動領域に分けられ、たとえば、該複数の被駆動領域は、並べて連続して設置され、各々の被駆動領域は、１つの独立したＩＣにより駆動される。なお、本開示の実施例は、以上の場合を含むが、それに制限されない。たとえば、第１ＩＣ３の少なくとも１つのＩ／Ｏインタフェースは、第２ＩＣ４に対応したＩ／Ｏインタフェースに接続され、第１ＩＣ３は、それに記憶された現在の境界画素データをＩ／Ｏインタフェースを介して第２ＩＣ４に送信するように配置されており、第２ＩＣ４は、現在の境界画素データと第２ＩＣ４に記憶された現在のサブ画素データとに対してＳＰＲ計算を行う。
【００５０】
該多集積回路駆動ディスプレイスクリーンの暗線解消方法については、上記多集積回路の表示駆動方法の説明を参照すればよいので、ここで重複説明を省略する。
【００５１】
たとえば、現在の境界画素データは、ディスプレイスクリーンにおいて２つの隣接する被駆動領域の境界部に位置し且つ第１ＩＣ３により駆動される現在の画素データである。
【００５２】
たとえば、該ディスプレイスクリーン５に含まれる各被駆動領域を横方向に並べて設置し、現在の境界画素データを隣接する被駆動領域の境界部の縦方向画素とし、横方向色貸しにより現在の境界画素データと現在のサブ画素データに対してＳＰＲ計算を行い、又は、各被駆動領域を縦方向に並べて設置し、現在の境界画素データを隣接する被駆動領域の境界部の横方向画素とし、縦方向色貸しにより現在の境界画素データと現在のサブ画素データとに対してＳＰＲ計算を行う。
【００５３】
たとえば、現在の境界画素データは、電圧信号である。
【００５４】
たとえば、該実施例では、該第１集積回路による処理過程として、第１ＩＣ３は境界画素のグレースケール情報を読み取り、該グレースケール情報に対してガンマ（ｇａｍｍａ）演算などの処理を行い、電圧信号を取得する。該第２集積回路による処理過程として、第２ＩＣ４は、それが受信した電圧信号に対してガンマ補正（Ｄｅ−ｇａｍｍａ）演算を行い、該電圧信号に対応したグレースケール情報を取得し、且つ第２ＩＣ４は、該グレースケール情報と第２ＩＣ４に記憶された現在のサブ画素データに対してＳＰＲ計算を行うことで、補正されたサブ画素データを得る。
【００５５】
たとえば、該第２ＩＣ４による処理過程は、該補正されたサブ画素データに対してガンマ演算を行うことで、それを電圧信号に変換し、それに接続された第２被駆動領域に伝送し、第２被駆動領域の駆動に用いられ、それにより暗線表示の問題を解消することをさらに含む。
【００５６】
なお、該ディスプレイスクリーン５は、ほかの通常の部材をさらに備えてもよく、実際のニーズに応じて決定してもよく、本開示の実施例では限定しない。
【００５７】
図３は、本開示の一実施例による表示駆動集積回路の概略ブロック図である。図３に示されるように、該表示駆動集積回路１００は、Ｉ／Ｏインタフェース１０、処理回路２０、記憶回路３０及び出力回路４０を備える。
【００５８】
たとえば、本開示の実施例では、Ｉ／Ｏインタフェース１０は、複数のポート（詳細は未図示）を備える。たとえば、一方のＩ／Ｏインタフェースは、第１入力端子として、表示データを受信するように配置され、他方のＩ／Ｏインタフェースは、第２入力端子として、別の集積回路における現在の境界画素データを受信するように配置されている。たとえば、該表示データは、該ディスプレイスクリーンの表示対象となるピクチャーの該集積回路に対応した部分を含む。たとえば、この別の集積回路に接続された被駆動領域は、この表示駆動集積回路に接続された被駆動領域に連続して設置される。なお、これに制限されず、実際の状況に応じて、より多くのＩ／Ｏインタフェース１０を備えてもよい。
【００５９】
該処理回路２０は、たとえば、逆ガンマ演算ユニット（又はサブ回路）２１及びサブ画素レンダリング計算ユニット（又はサブ回路）２２を備える。たとえば、処理回路２０は、現在の境界画素データに基づいて表示駆動集積回路が受信した表示データにおける現在のサブ画素データに対してサブ画素レンダリング計算を行うことで、補償後の画素データを取得するように配置されている。たとえば、該現在の境界画素データは、第１入力端子によって別の集積回路から取得される。該表示データにおける現在のサブ画素データは、たとえば記憶ユニット３０に記憶され、必要に応じて、該処理回路２０は、該記憶ユニット３０から呼び出してもよい。たとえば、該逆ガンマ演算ユニット２１は、受信した現在の境界画素データ（電圧信号）をグレースケール情報に変換して、サブ画素のレンダリング計算に用いるように配置されている。たとえば、サブ画素レンダリング計算ユニット２２は、現在の境界画素データに基づいて表示駆動集積回路が受信した表示データにおける現在のサブ画素データに対してサブ画素レンダリング計算を行うように配置されており、その具体的な過程は、多集積回路の表示駆動方法についての説明を参照すればよい。
【００６０】
たとえば、該記憶ユニット３０は、表示データにおける現在のサブ画素データを記憶し、且つ多集積回路の表示駆動方法又はその他の各種アプリケーションプログラムに生じたほかのデータを記憶するように配置されている。該記憶ユニット３０は、たとえば複数種の適切なタイプのメモリ、たとえば半導体メモリなどとしてもよい。
【００６１】
該出力回路４００は、たとえば、サブ画素レンダリング計算ユニット２２が取得した補償後の画素データを該表示駆動集積回路１００に接続された被駆動領域に出力することによって、該被駆動領域を駆動して、対応した表示を行わせるように配置されている。
【００６２】
なお、本開示の実施例では、含む回路を増減してもよく、且つ各回路の間の接続関係には制限がなく、実際のニーズに応じて決定してもよい。各回路の具体的な構成方式には制限がなく、回路原理に応じてアナログデバイスから構成されてもよく、デジタルチップから構成されてもよく、又はほかの適用できる方式で構成されてもよい。
【００６３】
本開示の一実施例は、上記多集積回路駆動ディスプレイスクリーンを備える表示装置をさらに提供する。
【００６４】
なお、本実施例における表示装置は、液晶パネル、液晶テレビ、ディスプレイ、ＯＬＥＤパネル、ＯＬＥＤテレビ、電子ペーパー表示装置、携帯電話、タブレットＰＣ、ノートパソコン、デジタルフォトフレーム、ナビゲータなど表示機能を有する製品又は部品であってもよい。該表示装置は、ディスプレイパネルなどのほかの通常の部材をさらに備えてもよく、本開示の実施例では、それについて限定しない。
【００６５】
本開示の実施例による表示装置の技術的効果は、上記実施例にける多集積回路駆動ディスプレイスクリーン５についての説明を参照すればよいので、ここで重複説明を省略する。
【００６６】
なお、以下の点について説明する。
【００６７】
（１）本開示の実施例では、図面は、本開示の実施例に係る構造のみを示しており、その他の構造は、通常の設計を参照すればよい。
【００６８】
（２）矛盾しない限り、本開示の実施例及び実施例における特徴を互いに組み合わせて新しい実施例を形成しうる。
【００６９】
以上、本開示の特定の実施形態を説明したが、本開示の保護範囲がそれに制限されず、本開示の保護範囲は、前記特許請求の範囲を基準にする。
【図１】
2020536263.tif 000003
【図２】
2020536263.tif 000004
【図３】
2020536263.tif 000005
【国際調査報告】
2020536263.tif 000006
2020536263.tif 000007
2020536263.tif 000008
2020536263.tif 000009